(57)【要約】  複数の発光ダイオード（ＬＥＤ）（５０）及び照明源（５４）を支持するエジソン式電球（４０）。第１及び第２の電気回路（５６）及び（５８）が、照明源及びＬＥＤに電力を供給するように電球に取り付けられる。スイッチ回路（６０）は、第１及び第２のそれぞれの電気回路（５６）及び（５８）に対する電力の供給を制御するように接続されて、ＬＥＤ（５０）及び照明源（５４）からの光出力を調整し、協調させる。
2007527599.tif 000002
【特許請求の範囲】
【請求項１】
基本的に白熱灯、蛍光灯、及びハロゲン灯から成る群から選択され、電力が供給されると照明光を発光する照明バルブを取り付ける照明ソケットと、
電力が供給されると、異なる色の光を発光する複数の発光ダイオードと、
前記照明ソケット及び前記発光ダイオードが互いに近接して配置されるベースと、
照明バルブに照明光を発光させるために前記照明ソケットに取り付けられる照明バルブに電力を供給するように接続される第１の電気回路と、
前記発光ダイオードに異なる色の光を発光させるために電力を発光ダイオードに供給するように接続される第２の電気回路と、
前記第１の電気回路及び第２の電気回路間で電力の投入を選択的に切り換えるためのスイッチ手段と、
を含む、電気ランプ。
【請求項２】
前記第１の電気回路が照明光の強度を調整するための調光器を含む、請求項１に記載の電気ランプ。
【請求項３】
前記第２の電気回路が、異なる色の光の強度を選択的に調整するために構成される調光器を含む、請求項１に記載の電気ランプ。
【請求項４】
前記第２の電気回路に接続され、所定のプログラムに従って異なる色の光の強度を調整するように構成される、プログラマブル回路をさらに含む、請求項１に記載の電気ランプ。
【請求項５】
基本的に白熱、蛍光、及びハロゲンの各発光素子から成る群から選択され、照明光を発光する照明源と、
異なる色の光を発光する複数の発光ダイオードと、
前記照明源及び複数の発光ダイオードが互いに近接して取り付けられるベースであって、電球ソケットに取り付けるように構成される前記ベースと、
前記照明源に電力を供給するように接続される第１の電気回路と、
前記発光ダイオードに電力を供給するように接続される第２の電気回路と、
前記第１の電気回路及び第２の電気回路間で電力の投入を選択的に切り換えるためのスイッチと、
を含む、電球。
【請求項６】
前記第１の電気回路が照明光の強度を調整するための調光器を含む、請求項５に記載の電球。
【請求項７】
前記第２の電気回路が、異なる色の光の強度を選択的に調整するために構成される調光器を含む、請求項５に記載の電球。
【請求項８】
前記第２の電気回路に接続され、所定のプログラムに従って異なる色の光の強度を調整するように構成されるプログラマブル回路をさらに含む、請求項５に記載の電球。
【請求項９】
温度、におい、動作、及び音の少なくとも１つを検出するためのセンサと、
前記第２の電気回路に接続されるプログラマブル回路と、をさらに含み、
前記プログラマブル回路が前記センサからの信号に応答して異なる色の光の強度及び色の少なくとも１つを調整する、
請求項５に記載の電球。
【請求項１０】
前記照明源が電球に取り外し可能に取り付けられる、請求項５に記載の電球。
【請求項１１】
電球ソケットと嵌合するように構成されるベースと、
前記ベースに取り付けられる少なくとも１つの小型蛍光灯と、
前記ベースに取り付けられる複数の発光ダイオードであって、異なる色の光を発光する前記複数の発光ダイオードと、
前記ベースが前記電球ソケットに取り付けられると、前記電球ソケットからの電力を前記少なくとも１つの蛍光灯及び前記複数の発光ダイオードに供給する制御回路と、
前記ベースに取り付けられ、前記少なくとも１つの蛍光灯及び前記複数の発光ダイオードを収容する半透明ハウジングと、
を含む、電球。
【請求項１２】
複数の小型蛍光灯を含む、請求項１１に記載の電球。
【請求項１３】
前記少なくとも１つの蛍光灯の長さが約２乃至約２１インチであり、前記蛍光灯が、ハウジング内のベースから上方に複数の長さで延出して形成されるように、それ自体に接触するように複数回折り曲げられる、請求項１１に記載の電球。
【請求項１４】
複数の発光ダイオードが前記蛍光灯の周囲に円周方向に沿って配置される、請求項１２に記載の電球。
【請求項１５】
円周方向に隣接した発光ダイオードが、異なる色の発光ダイオードである、請求項１４に記載の電球。
【請求項１６】
複数の発光ダイオードが前記少なくとも１つの蛍光灯の周囲に配置される、請求項１３に記載の電球。
【請求項１７】
円周方向に隣接した発光ダイオードが、異なる色の発光ダイオードである、請求項１６に記載の電球。
【請求項１８】
前記複数の発光ダイオードが、前記少なくとも１つの蛍光灯を包囲するようにベース上に配置される、請求項１１に記載の電球。
【請求項１９】
円周方向に隣接した発光ダイオードが、異なる色の発光ダイオードである、請求項１８に記載の電球。
【請求項２０】
前記少なくとも１つの蛍光灯及び前記複数の発光ダイオードが共通の回路基板から電力供給される、請求項１１に記載の電球。
【請求項２１】
前記少なくとも１つの蛍光灯が約１６０乃至約４２００ルーメンの範囲内の光を発光する、請求項１１に記載の電球。
【請求項２２】
前記少なくとも１つの蛍光灯が約２４０乃至約２６２５ルーメンの範囲内の光を発光する、請求項２１に記載の電球。
【請求項２３】
前記少なくとも１つの蛍光灯が約３２０乃至約２１００ルーメンの範囲内の光を発光する、請求項２２に記載の電球。
【請求項２４】
前記制御回路に接続されるユーザ・インタフェースをさらに含み、
前記ユーザ・インタフェースが、前記複数の発光ダイオードによってハウジングから発光される光の色のプログラミングを可能にする、請求項１１に記載の電球。
【請求項２５】
制御回路を制御して、前記複数の発光ダイオードを制御し、発光の少なくとも１つの所定のプレゼンテーションを形成するためのプロセッサであって、前記プレゼンテーションが、プレゼンテーションの間に前記複数の発光ダイオードによってハウジングから発光される光の色及び強度の少なくとも１つを変更させる、プロセッサをさらに含む、請求項１１に記載の電球。
【請求項２６】
前記少なくとも１つの所定のプレゼンテーションを定義する１つ以上のプログラムを格納するメモリをさらに含む、請求項２５に記載の電球。
【請求項２７】
ユーザに前記少なくとも１つの所定のプレゼンテーションから選択させることを可能にするユーザ・インタフェースをさらに含む、請求項２６に記載の電球。
【請求項２８】
ｉ）複数の所定のプレゼンテーションの１つ以上を起動させること、及び
ｉｉ）１つ以上の光の色が複数の発光ダイオードによってハウジングから発せられるように選択すること
のうちの少なくとも１つをユーザに実行させ得るユーザ・インタフェースをさらに含む、請求項２５に記載の電球。
【請求項２９】
ｉ）複数の所定のプレゼンテーションの１つ以上を起動させること、及び
ｉｉ）１つ以上の光の色を複数の発光ダイオードによってハウジングから発せられるように選択すること
のうちの少なくとも１つを実行するように、プロセッサがユーザによって遠隔制御される、請求項２５に記載の電球。
【請求項３０】
前記電球は、該電球が取り付けられる前記電球ソケットを介して電力を制御する電源スイッチをトグルさせることによってユーザにプロセッサの遠隔制御を可能にさせるように、電力起動を検出するためのセンサをさらに含む、請求項２５に記載の電球。
【請求項３１】
赤外線信号及び無線信号のうちの１つによってプロセッサを遠隔制御可能にするセンサをさらに含む、請求項２９に記載の電球。
【請求項３２】
電球ソケットと嵌合するように構成されるベースと、
前記ベース上に取り付けられ、該ベースから電力を受け取る発光素子であって、基本的にハロゲン、白熱、蛍光及び低圧水銀の各発光素子から成る群から選択される前記発光素子と、
前記ベース上に取り付けられ、該ベースから電力を受け取る複数の発光ダイオードであって、異なる色の光を発光する前記複数の発光ダイオードと、
前記複数の発光ダイオードから発せられた光の起動、色、及び強度を制御するプログラマブルプロセッサと、
前記ベースに取り付けられ、前記発光素子及び前記複数の発光ダイオードを収容する半透明ハウジングと、
を含む、電球。
【請求項３３】
前記発光素子が約３２０乃至約２１００ルーメンの範囲内の光を発光する、請求項３２に記載の電球。
【請求項３４】
前記ベース上に取り付けられる円周方向に隣接した発光ダイオードが異なる色発光ダイオードである、請求項３２に記載の電球。
【請求項３５】
複数の所定の発光プレゼンテーションを実行するようにプロセッサに指示するためのプログラムを記憶するメモリであって、各プレゼンテーションが、前記複数の発光ダイオードによって前記ハウジングから発光された光の色と強度の少なくとも１つを変更させる、メモリをさらに含む、請求項３２に記載の電球。
【請求項３６】
前記プログラムがユーザによって遠隔起動される、請求項３５に記載の電球。
【請求項３７】
電球ソケットと嵌合するように構成されるベースと、
前記ベース上に取り付けられ、該ベースから電力を受け取る発光素子であって、基本的にハロゲン、白熱、蛍光及び低圧水銀の各発光素子から成る群から選択される前記発光素子と、
前記ベース上に取り付けられ、該ベースから電力を受け取る複数の発光ダイオードであって、異なる色の光を発光する前記複数の発光ダイオードと、
前記複数の発光ダイオードから発せられた光の起動、色、及び強度を制御するユーザ・インタフェースと、
前記ベースに取り付けられ、前記発光素子及び前記複数の発光ダイオードを収容する半透明ハウジングと、
を含む、電球。
【請求項３８】
前記ユーザ・インタフェースが、前記電球に保存される複数の所定の発光プレゼンテーションを制御し、各プレゼンテーションはそれぞれ、前記複数の発光ダイオードによって前記ハウジングから発せられる光の色及び強度の少なくとも１つを変更する、請求項３７に記載の電球。
【発明の詳細な説明】
【技術分野】
【０００１】
本発明は、照明用の光及び環境光を供給する新規な照明装置に関する。
【背景技術】
【０００２】
照明を行なう電気ランプ及びその中で使用される電球（バルブ）は、周知であり、広く使用されている。こうしたランプ及び電球は２つの一般的なカテゴリー、即ち、白熱灯及び蛍光灯に分類される。照明におけるさらに最近の発展は、発光ダイオード（ＬＥＤ）への進展をもたらしている。ＬＥＤは、電流が流れるときに可視光を発する半導体デバイスである。ＬＥＤからの光は基本的に単色であり、光の色は半導体において使用される特定の材料によって決定される（とはいえ、ＬＥＤに加えられる電流が知覚される色を変えるために使用できる）。ＬＥＤは、低電力要件、高性能、及び長期耐性であるという利点がある。種々の異なる色のＬＥＤの出力は混合されて、白色光を含む更なる色、及び異なる輝度を形成することができる。ＬＥＤはまた、所望の環境効果を達成するための背景照明を行なうために使用することもできる。しかしながら、これらの輝度は制限されており、したがって、これらは一般に照明用には適さない。その代わり、ＬＥＤはインジケータ・ライト、パネル・バックライティング、及び光ファイバ・データ伝送などの用途に対して一般に使用されている。
【０００３】
米国特許第６，１４９，２８３号（特許文献１）は、マルチカラー調整器を有するＬＥＤランプ／バルブを開示している。この装置は、異なる色の光を生成することができる数個のＬＥＤが取り付けられたベースを含む。調節スイッチが、異なる色のＬＥＤに対して設けられ、これによりこれらの色は所望の割合で混合されて、白色光を含む種々の色及び種々の輝度などの所望の照明効果をもたらす。上記特許は、ＬＥＤのルーメン出力が同一ワット量の白熱光源と同程度には高くないことを認識している。
【０００４】
米国特許第５，９２４，７８４号（特許文献２）は、ＬＥＤを用いた自立形ランプ及びエジソン式電球（即ち、従来の電球ソケットと嵌合するねじ込み式電球）の双方からの環境光（ロウソクの炎をシミュレートする）を供給することを開示する。この火炎シミュレーションは、発せられた色の配合及びフリッカ効果の両方によって行なわれる。上記特許は、記念館等において癒し効果を達成するために使用されるバルブ及びランプを対象にしていることを述べている。
【０００５】
米国特許第６，０１６，０３８号（特許文献３）、同第６，１５０，７７４号（特許文献４）、同第６，１６６，４９６号（特許文献５）、同第６，２１１，６２６号（特許文献６）、同第６，２９２，９０１号（特許文献７）、及び同第６，３４０，８６８号（特許文献８）は、所定のプログラムに従って種々のＬＥＤの光出力を制御するための種々の技術及び電気回路を開示している。
【特許文献１】米国特許第６，１４９，２８３号
【特許文献２】米国特許第５，９２４，７８４号
【特許文献３】米国特許第６，０１６，０３８号
【特許文献４】米国特許第６，１５０，７７４号
【特許文献５】米国特許第６，１６６，４９６号
【特許文献６】米国特許第６，２１１，６２６号
【特許文献７】米国特許第６，２９２，９０１号
【特許文献８】米国特許第６，３４０，８６８号
【発明の開示】
【発明が解決しようとする課題】
【０００６】
本発明は、単一のランプ器具若しくは電球において、照明光とともに所望の環境光又は背景光の供給を可能にする。
【課題を解決するための手段】
【０００７】
本発明の一実施の形態によると、照明光を発光する照明バルブを取り付けるための照明ソケットと、異なる色の光を発光する複数の発光ダイオードと、上記照明ソケット及び上記発光ダイオードが互いに近接して配置されるベース（基部）と、上記照明ソケットに電力を供給するように接続される第１の電気回路と、上記発光ダイオードに電力を供給するように接続される第２の電気回路と、上記第１の電気回路及び第２の電気回路間で電力の投入を選択的に切り換えるように接続されるスイッチ手段と、を含む新規な電球が提供される。照明ソケットは、基本的に白熱灯、蛍光灯、及びハロゲン灯から成る群から選択される照明バルブを取り付けるためのソケットである。
【０００８】
別の実施の形態では、本発明は電球に関している。この電球（バルブ）は、照明光を発光する照明源と、異なる色の光を発光する複数の発光ダイオードと、上記照明源と複数の発光ダイオード互いに近接して取り付けられるベースと、ソケットに電力を供給するように接続される第１の電気回路と、上記発光ダイオードに電力を供給するように接続される第２の電気回路と、上記第１の電気回路及び第２の電気回路間で電力の投入を選択的に切り換えるように接続されるスイッチと、を含んでいる。さらに、照明源は、基本的に白熱灯、蛍光灯、及びハロゲン灯から成る群から選択される。（本発明によるランプ及びバルブと関連して使用されるこうした従来の「バルブ」について論じるとき、従来の「バルブ」は、交換可能なねじ込み式バルブ（電球）などのほか、本発明のバルブ若しくはランプに取り付けられるさらに永続的な発光素子を含むこともできる。）
【０００９】
別の実施の形態では、本発明は、電球と嵌合するように構成されるベースを有する電球に関する。少なくとも１つの小型蛍光灯はベース上に取り付けられる。また、複数の発光ダイオードはベース上に取り付けられ、これらＬＥＤは異なる色の光を発光する。制御回路は、ベースがそこに取り付けられているとき、電球ソケットからの電力を上記少なくとも１つの蛍光灯及び複数の発光ダイオードに供給する。半透明ハウジングは、ベース上に取り付けられ、少なくとも１つの蛍光灯及び複数の発光ダイオードを収容する。
【００１０】
さらに別の実施の形態において、本発明は、電球ソケットと嵌合するように構成されるベースを有する電球に関する。発光素子は、ベース上に取り付けられ、該ベースから電力を受け取る。この発光素子は、基本的にハロゲン、白熱、蛍光、及び低圧水銀の各発光素子から成る群から選択される。複数の発光ダイオードもまた、ベース上に取り付けられ、該ベースから電力を受け取る。複数の発光ダイオードは異なる色の光を発光する。プログラマブルプロセッサは、複数の発光ダイオードから発光された光の起動、色、及び強度を制御する。さらに、半透明ハウジングは、ベース上に取り付けられ、発光素子及び複数の発光ダイオードを収容する。
【００１１】
また別の実施の形態において、本発明は、電球ソケットと嵌合するように構成されるベースを有する電球に関する。発光素子はベース上に取り付けられ、該ベースから電力を受け取る。この発光素子は、基本的にハロゲン、白熱、蛍光、及び低圧水銀の各発光素子から成る群から選択される。複数の発光ダイオードは、ベース上に取り付けられ、該ベースから電力を受け取る。複数の発光ダイオードは異なる色の光を発光する。ユーザ・インタフェースは、複数の発光ダイオードから発光される光の起動、色、及び強度を制御する。さらに、半透明ハウジングは、ベース上に取り付けられ、発光素子及び複数の発光ダイオードを収容する。
【発明を実施するための最良の形態】
【００１２】
図１に示すように、本発明の一実施の形態によるランプ１０は、テーブル面若しくは卓上などの水平表面上に載置されることのできる、平坦な底部１４を有するベース（基部）１２と、該ベースから上部に延出し、内部に生じた光をランプから放出可能にする半透明シェード（かさ）１６と、を含んでいる。ベース１２は、その上端近傍にバルブ・サポート１８を含んでいる。該バルブ・サポート１８は、複数の発光ダイオード（ＬＥＤ）２０、及び例えば従来のねじ込み式白熱電球でもよい照明バルブ２４用のソケット２２のための取付部としての役割をする。図に示すように、ＬＥＤ２０及び照明バルブ２４は、これらの装置から生じる光がシェード１６から発光され得るように配置されている。
【００１３】
バルブ・サポート１８は、図２に示すように、リング形状の外側部分１８ａを有し、ＬＥＤ２０はこの外部の周囲に配分される。バルブ・サポート１８はまた、照明バルブ・ソケット２２を支持する中心部１８ｂも含んでいる。
【００１４】
第１の電気回路２６はベース１２に設けられ、ＬＥＤ２０のそれぞれに電気出力を供給するために接続されている。第２の電気回路２８もまた、ベース１２に設けられ、照明バルブ・ソケット２２に電気出力を供給するために接続されている。スイッチ回路３０もまた、ベース１２に設けられ、第１及び第２の電気回路２６、２８に電気出力を供給するために接続されている。スイッチ回路３０は電力線３２に接続され、これは、ランプ・ベース１２内に収容されているバッテリー（図示せず）から、あるいは、家庭用電気出力などの外部ソースから電気出力を受け取ることができる。
【００１５】
スイッチ回路３０は、プログラム制御ユニット３４を含み、これは、ランプ１０によって生じるべき光のタイプに応じて、第１及び第２の電気回路２６、２８に対する所望の電気出力の切換え、即ち、両方とも同時に、あるいはそれぞれ交互に行なうように構成されている。このプログラム制御ユニットは制御スイッチ・アクチュエータ３４を含み、これらは、ＬＥＤ２０及び照明バルブ２４の出力強度若しくは輝度を手動で調整するためにベース１２上に配置される。プログラム制御ユニット３４はまた、ＬＥＤ２０と照明バルブ２４の調整を所定の方法で行なう内部プログラム及びその関連回路を組み込むこともできる。これは、ユーザが選択し得るもののうちで選択可能なライトショーを提供することができる。さらに、センサ（図示せず）は、ランプ１０のある領域内で、例えば温度、におい、音、動きなどのその他の状態を検出し、プログラム制御ユニット３４のプログラムを調整することによって、このような検出された状態におけるランプ１０からの光出力を協調させることができるようになっていることもある。
【００１６】
図３に示すように、本発明の別の実施の形態によるエジソン式電球４０は、従来の電球ソケットで使用するためのねじ込み式エジソン式ベース４２を含んでいる。（このバルブが、蛍光灯及びハロゲン灯などの電球を取り付けるための他の従来のソケットに取り付けるように構成されてもよいことは言うまでもない。）半透明ハウジング４６はベース４２から上側に延出する。この半透明ハウジング４６は、その中で生じた光がバルブから発光されるのを可能にする。
【００１７】
照明サポート４８は、ハウジング４６内部に配置され、複数のＬＥＤ５０及び光源取り付けソケット５２のための取付部としての役割をする。ソケット５２は、白熱光源５４を取り付け、これに電力を供給する。ＬＥＤ５０及び光源５４によって生じられる光は、ハウジング４６を介して発光される。ハウジング４６はベース４２に取り外し可能に固定されることができ、光源５４の交換を可能にする。
【００１８】
光源サポート４８は、図４に示すように、リング形状の外側部分４８ａを有する。ＬＥＤ５０は、この外側部分の周囲に配分される。光源サポート４８はまた、ソケット５２若しくは光源５４がソケットなしでサポート４８に固定して取り付けられるときには、光源５４を支持する中心部４８ｂを含んでいる。ＬＥＤ５６は従来の光源より長持ちすることが予想されるので、ソケットは切れた光源の交換を可能にするために使用されることが好ましい。
【００１９】
第１の電気回路５６は、ＬＥＤ５０のそれぞれに電気出力を供給するために接続されている。第２の電気回路５８は、光源５４に電気出力を供給するために接続されている。スイッチ回路６０は、第１及び第２の電気回路５６、５８に電気出力を供給するために接続されるように設けられる。スイッチ回路６０は電源ライン６２に接続され、これは、エジソン式電球ソケットがその上に取り付けられるときに、このソケットからの電気出力を受け取る。スイッチ回路６０は、プログラム制御ユニット６４を含み、これは、生じるべき光のタイプに応じて、第１及び第２の電気回路５６、５８に対する電気出力を要求に応じて切り換えるように構成される。プログラム制御ユニット６４は制御スイッチ・アクチュエータ６４ａを含み、これらはハウジング４６の外側に配置されている。制御スイッチ・アクチュエータ６４ａは異なるモードの光プレゼンテーション間での切り換えをする、即ち、第１及び第２の電気回路５６、５８のいずれか一方を起動させるか、若しくは同時に両方の回路を起動させるためにある。プログラム制御ユニット６４はまた、例えば、ＬＥＤ５０及び光源５４の出力強度若しくは輝度、ＬＥＤ５０を使用する前もってプログラムされたライトショー、ＬＥＤ５０によって供給される光の色などを手動で調整するための、外側ハウジング４６上に配置されるスイッチ・アクチュエータ６４ｂを含んでいる。制御スイッチ・アクチュエータ６４ｂは、プログラム制御ユニット６４の内部プログラム及びその関連回路を制御することによって作動できる。さらに、マイクロプロセッサ、機械的動作装置、ソフトウェア駆動制御などを含む多数の制御機構の任意の１つを本発明に従って使用してもよい。
【００２０】
さらに、表示されたＬＥＤ５０を個々の発光ダイオードと称してきたが、図示されたＬＥＤ５０はまた、発光ダイオードの個々のグループであってもよい。例えば、それぞれ、単一のＬＥＤグループ５０は、赤、緑、青それぞれの色の特定の３つの個々の発光ダイオードを含むこともできる。このような構成によると、プログラム制御ユニット６４は、各グループの発光ダイオードのそれぞれの相対強度を個々に設定して、こうしたグループから発光された色を制御することもできる。すなわち、図示されたＬＥＤグループ５０から発光された色は、このグループの個々の発光ダイオードからの色の組み合わせに基づいて変更されることができる。ユーザは、総合的カラーエフェクトをもたらすようにＬＥＤグループ５０の個々のダイオードを非常に密着させて共に配置させることにより組み合わされた色を知覚することができ、あるいはまた、各ＬＥＤ５０を被覆するために半透明シェード（例えば拡散器）５２を設けることもできる。こうして、いかにも単一のピクセルであるかのように、単一の知覚される色を各シェード５２から発するようにしている。
【００２１】
プログラム制御ユニット６４は、センサ６６ａからの信号を受信するためのセンサ入力部６６をさらに含んでいる。センサ６６ａは、電球４０上あるいは離れた位置に設けることができる。離れた位置に配置されるとき、センサ６６ａからの信号は、直接接続若しくはワイヤレス接続（即ち、無線信号や赤外線信号など）によってセンサ入力部６６に送信されてもよい。
【００２２】
センサ６６ａは、温度、音、動作などの刺激を検出できる。プログラム制御ユニット６４は、検出された状態に基づいてＬＥＤ５０及び光源５４の動作のためのプログラムを調整できる。
【００２３】
さらに、制御信号は、センサではなくユーザによって直接接続又はワイヤレス接続によって供給されてもよい。例えば、直接接続に関しては、ユーザは、単にバルブ４０が嵌合される装置に対する電源を制御する電源スイッチを切り換えることによって、電源の投入を変更すればよい。この場合、センサ入力部６６は、電源を検知し、電源の起動及び切断のタイミングに基づいて装置の制御を変えることもできる。あるいはまた、ユーザが制御信号（例えば無線信号や赤外線信号など）をセンサ入力部６６に送信できるように、遠隔制御を行なってもよい。これらの制御オプションは、スイッチ６４ａ及び６４ｂの他に設けたり、あるいはそれらの代わりに設けてもよい。
【００２４】
図５は、本発明のさらに別の実施の形態によるエジソン式電球７０を示している。本実施の形態において、蛍光照明源５５はソケット５３に取り付けられる。言うまでもなく、照明は電球の交換が可能な従来の電球ソケットにおいて提供されてもよく、あるいはまた、本発明による装置に永続的に固定される照明装置であってもよい。電球７０の特徴の残りは、図３に示した電球４０に関して上述された同様の番号の特徴と同様である。
【００２５】
図６Ａ及び図６Ｂは、電球１００に具体化される本発明の別の実施の形態を示している。電球１００は、ランプなどにおける従来の白熱電球ソケットと嵌合するように適合されるねじ込み式コネクタ１５０を有するベース１４０を含むという点で前述した実施の形態と同様である。言うまでもなく、コネクタ１５０は、他の従来のライト・ソケット（例えば蛍光やハロゲンなど）と嵌合する多数の構成の任意のいずれか１つであればよい。
【００２６】
電球１００はまた、半透明ハウジング１３０を含む。ハウジング１３０はバルブ１１０を封入する。その他の発光素子を従来の電球と関連した高輝度白色光を供給するために設けてもよいが、小型蛍光電球を使用することが好ましい。（バルブ１１０が交換可能な電球であるか、あるいはより永久的に固定された発光素子でもよいことは言うまでもない。）本実施の形態において論じられる複数の小型の蛍光灯は、電球１００の出力と、白色光（など）を発光するハウジング１３０内の全表面積を増大させるように設けられている。
【００２７】
図６Ａに示されているように、小型蛍光バルブ１１０は上下逆の略Ｕ字形状の構成にそれぞれ形成されている。（本発明の範囲を維持した状態で、他の配置も可能であることは言うまでもない）。特に、小型蛍光バルブ１１０は、ハウジング１３０の上部近くでそれ自体に接触するように折り曲がるまでベース１４０から離れる方向に延出する一端に第１の電極を有し、他端にある第２の電極までベース１４０に向けて戻るように延出する。図６Ａ及び図６Ｂは、こうした２つのバルブ１１０を示している。
【００２８】
あるいは、小型蛍光バルブ１１０は、複数の別々の長さを有する単一の電球の形状であってもよく、その長さはベース１４０から上方に延出し、もとのベース１４０に対し延出するようにそれ自体に接触して折り曲がっており、これらの長さは全体の長さの反対端のそれぞれに２つの電極のみを有して相互接続されるからである。さらに具体的に言うと、図６Ａ及び図６Ｂは２つの個々のＵ字形バルブを示すように見えるが、本明細書中で使用される複数の小型蛍光バルブという用語は、図６Ａ及び図６Ｂに示すような異なる長さを有するように複数回にわたって折り曲げられる単一の小型蛍光バルブをも指すことができる。
【００２９】
最も好ましい実施の形態において、複数の小型蛍光バルブ１１０の全体の長さは、小型蛍光バルブが実際は別個のバルブであるか、又は、複数の別個の長さを有する単一のバルブであるかに関係なく、約２乃至約２１インチの範囲内にある。望ましくは、１回の曲げによる約１インチの長さから、１回乃至３回の曲げによる約３．５インチの長さを含むものでもよい。これにより、発光表面積が高くなり、室内等を明るくするように十分な光が供給される。さらに、図面に示されるＵ字形構成以外の小型蛍光バルブ１１０（又は他のバルブ）を形成するためにいかなる形状や構成も使用できることに留意されたい。例えば、渦巻形やらせん形状を使用してもよい。
【００３０】
電球１００はまた、複数のＬＥＤ１２０を含んでいる。上記で論じられた実施の形態と同様に、ＬＥＤ１２０はＬＥＤボード１２２上に配列されて、小型蛍光バルブ１１０を取り囲んでいる。また、ＬＥＤ１２０は、多数の異なる色のＬＥＤを含んでいる。さらに具体的に言うと、この実施の形態に示すように、隣接した個々のＬＥＤ１２０ａ及びＬＥＤ１２０ｂが異なる色であるように、これらの異なる色のＬＥＤは配列されている。このような構成によれば、こうした異なる色のＬＥＤは、ハウジング１３０内部の周囲に均等間隔に配置され、電球１００のどの側面から感知しても適切な光を表示することができる。その他の実施の形態に関して上述したように、こうしたＬＥＤは、異なる色のＬＥＤのグループが互いに密接して配置され（任意選択的に、グループが単一のピクセルとなるように光拡散器によって被覆され）て、ハウジング１３０から発せられる色のユーザによる知覚への制御を高めるように、それぞれ異なって構成されてもよい。このような実施の形態において、ＬＥＤ１２０は、異なる発色間のより流動的な連続的変化（例えば水性塗料のような）をもたらすように制御されることができる。図６Ａ及び図６Ｂに図示した実施の形態において、異なった色のＬＥＤ１２０ａ及び１２０ｂの分離は、異なった色のＬＥＤ１２０のグループが単一のピクセルとしてユーザに知覚されるように互いに近接して配置される実施の形態と比較して、ユーザによって知覚される色の変化はより明確に描写されてもたらされる。あるいはまた、この配置はＬＥＤの近接したグループ化を含むものでもよく、個々のＬＥＤ若しくはグループ化されたＬＥＤはそれでも個々に識別可能であってもよい。
【００３１】
ＬＥＤ１２０、小型蛍光バルブ１１０及びＬＥＤボード１２２は、直接又は間接的にベース１４０に取り付けられる。ベース１４０は、ＬＥＤ電源装置１６４及び小型蛍光バルブ電源装置１６２を含む制御回路基板１６０を含む。１枚のボード上のこれらの機能に対し電力（及び制御）を供給することによって、より小型の電球１００が実現される。当業者によって理解されるように、ボード１６０は、ＬＥＤ１２０及び蛍光バルブ１１０の機能を制御するための従来のスイッチ及び電位差計を含むこともできる。あるいはまた、ＬＥＤ１２０及び小型蛍光バルブ１１０に対して個々のボードを設けてもよい。電力は、コネクタ１５０への電気接続（図示せず）によってボード１６０に供給され、このコネクタは従来の光ソケットと嵌合されるときに電力を受け取る。
【００３２】
制御ボード１６０はまた、種々の照明機能を制御するためにソフトウェア及びハードウェアの種々の組合せを使用し得るプロセッサ１６６を含むこともできる。ＬＥＤ１２０に関して、制御は、ハウジング１３０の外側からユーザによって知覚されるときに、個々に若しくはグループとして、ＬＥＤ１２０によって発せられる色の制御を含むことがある（これは、拡散器などの使用を含むことがある）。さらに、制御機構は、ＬＥＤ１２０の輝度を制御することもできる。また、制御は、娯楽用ライトショーを行なうために表示する間にわたって、光の色、輝度、起動などを変更させる所定の照明プレゼンテーション（例えばライトショー）の実行を含むことがある。制御機構はまた、小型蛍光バルブ１１０の輝度又は起動を含む制御をすることもできる。好ましい実施の形態において、室内若しくは他の領域を照明するための標準白色光を供給するために、小型蛍光バルブ１１０は、ＬＥＤ１２０なしにそれ自体で起動される。ＬＥＤは常夜灯として単独で使用され、又は、ユーザに好ましい発色機能や色表示を用いた雰囲気をもたらすように使用されることもある。
【００３３】
ライトショーはメモリ１６８に保存されることができ、該メモリはまた、制御盤１６０上に含まれ（若しくはプロセッサ１６６と一体化され）ることもできる。このメモリ１６８は、回路基板１６０及び／又はプロセッサ１６６を制御するためのソフトウェア・プログラムを含んで、所定のプレゼンテーションを作動させることもできる。
【００３４】
ユーザ・インタフェース１７０は、制御盤１６０及び／又はプロセッサ１６６の制御をユーザに提供するためにベース１４０上に設けられている。ユーザ・インタフェースは、ユーザにＬＥＤ１２０及び小型蛍光バルブ１１０の色、輝度、起動／起動解除などを選択させることができる。図示された実施の形態において、ユーザ・インタフェース１７０は、ユーザが異なる設定の間で切り替えをするためにトグルさせることができるボタンである。他の実施の形態において、ユーザがバルブ１００の動作をより精巧に制御できるようにするために、ユーザ・インタフェース１７０はより精巧であってよい（そして、ベース１４０や離れた位置に設けられてもよい）。このことは、色変化、各種成分の輝度の変化、起動／起動解除のタイミングや、それらの組み合わせを含むプログラムを設計する能力を含むこともある。
【００３５】
図７乃至図９は、図６Ａ及び図６Ｂに示される電球の変形を示している。特に、３つの小型蛍光バルブ１１０が設けられている（これらは、３つの別個の蛍光バルブを含んでいたり、あるいは単一蛍光バルブにおける３つの異なる発光長を含んでいる）。さらに、個々の小型蛍光バルブ１１０は、ベース１４０からハウジング１３０内部を垂直方向上部に延出し、その上部に近い位置に達するように設けられている。しかしなから、本実施の形態において  ＬＥＤ１２０は、ベース１４０の近くで小型蛍光バルブ１１０の周囲に環状配置されておらず、垂直方向にグループ化されて配置され、各グループは、個々の蛍光バルブ１１０間に延出する。図９に示すように、隣接した小型蛍光バルブ１１０間に延出するＬＥＤ１２０の各グループ化は、個々のＬＥＤボード１２２に固定されることができる。このことは、より効果的に着色光を配分することができ、わずかに異なる照明効果をもたらす。
【００３６】
上記の種々の実施の形態によれば、本発明は、従来の電球のサイズ、形状、及び適合性が同様の電球であるが、彩色、色変化、及びライトショーを含む機能及び制御が向上した電球を提供する。しかしながら、本発明が依然として従来のライト・ソケットと嵌合し、一般には従来の白熱電球（少なくとも一実施の形態において）のそれと同様の形状であることから、既存の照明器具で使用され、従来のライト・シェードに適合することができる。具体的には、ハウジング１３０は、一般的な電球に固定するために従来のライト・シェード上に設けられた接続手段を受容できるような形状若しくは大きさであることが好ましい。特に、図６Ａに関して、位置１３２におけるハウジング１３０の直径（ハウジング１３０の上部幅広部分）は約１．７５乃至約３．２５インチの範囲であることが好ましく、位置１３４におけるハウジング１３０の直径は約１乃至約３インチであることが好ましい。最も好ましくは、従来の電球サイズＡ−１９（位置１３２での寸法が約２．３７５インチ）及びＡ−２１（位置１３２での寸法が約２．６２５インチ）に実質的に適合する。
【００３７】
さらに、電球１００は、小型蛍光灯や、約１６０乃至約４２００ルーメンの範囲内にある他の発光装置からの白色光を発することが好ましく、より好ましくは、約２４０乃至約２６２５ルーメンの範囲内であり、最も好ましくは約３２０乃至約２１００ルーメンの範囲内である。さらに、本発明による電球は、約５乃至約２００ワットの範囲内の電力を引き込むことが好ましく、約１５乃至約１２５ワットの範囲内がより好ましく、約２５乃至約１００ワットの範囲内が最も好ましい。したがって、本発明は、従来の電球が一般に使用される多くの設備における使用に対して設計されている。
【００３８】
しかしながら、当業者によって容易に理解されるように、ハロゲン灯や高輝度放電灯などの他の適切な照明源が照明光を供給するために使用できることもまた認識されたい。
【産業上の利用可能性】
【００３９】
本発明は、単一の装置において照明目的及び所望の環境状態を作成するための照明を提供し、これは、照明を変化させるために手動で調整でき、このような照明を自動的に変化させるようにプログラムされることができる。
【図面の簡単な説明】
【００４０】
【図１】図１は、本発明の一実施の形態によるランプの概略断面立面図である。
【図２】図２は、図１の線２−２に沿った断面図である。
【図３】図３は、本発明の別の実施の形態によるエジソン式電球の概略断面立面図である。
【図４】図４は、図３の線４−４に沿った断面図である。
【図５】図５は、本発明の別の実施の形態によるエジソン式電球の概略断面立面図である。
【図６Ａ】図６Ａは、本発明の一実施の形態による別の電球の断面図である。
【図６Ｂ】図６Ｂは、本発明の一実施の形態による別の電球の上面図である。
【図７】図７は、本発明の別の実施の形態による別の電球の斜視図である。
【図８】図８は、図７に示される電球の側面図である。
【図９】図９は、図８及び図９に示される電球の部分分解図である。
【図１】
2007527599.tif 000003
【図２】
2007527599.tif 000004
【図３】
2007527599.tif 000005
【図４】
2007527599.tif 000006
【図５】
2007527599.tif 000007
【図６Ａ】
2007527599.tif 000008
【図６Ｂ】
2007527599.tif 000009
【図７】
2007527599.tif 000010
【図８】
2007527599.tif 000011
【図９】
2007527599.tif 000012
【手続補正書】
【提出日】平成17年2月2日(2005.2.2)
【手続補正１】
【補正対象書類名】特許請求の範囲
【補正対象項目名】全文
【補正方法】変更
【補正の内容】
【特許請求の範囲】
【請求項１】
基本的に白熱灯、蛍光灯、及びハロゲン灯から成る群から選択され、電力が供給されると照明光を発光する照明バルブを取り付ける照明ソケットと、
電力が供給されると、異なる色の光を発光する複数の発光ダイオードと、
前記照明ソケット及び前記発光ダイオードが互いに近接して配置されるベースと、
照明バルブに照明光を発光させるために前記照明ソケットに取り付けられる照明バルブに電力を供給するように接続される第１の電気回路と、
前記発光ダイオードに異なる色の光を発光させるために電力を発光ダイオードに供給するように接続される第２の電気回路と、
前記第１の電気回路及び第２の電気回路間で電力の投入を選択的に切り換えるためのスイッチ手段と、
を含む、電気ランプ。
【請求項２】
前記第１の電気回路が照明光の強度を調整するための調光器を含む、請求項１に記載の電気ランプ。
【請求項３】
前記第２の電気回路が、異なる色の光の強度を選択的に調整するために構成される調光器を含む、請求項１に記載の電気ランプ。
【請求項４】
前記第２の電気回路に接続され、所定のプログラムに従って異なる色の光の強度を調整するように構成される、プログラマブル回路をさらに含む、請求項１に記載の電気ランプ。
【請求項５】
電球ソケットと嵌合するように構成されるベースと、
前記ベースに取り付けられ、基本的に小型蛍光灯、白熱灯、ハロゲン灯、及び低圧水銀発光素子から成る群から選択される発光素子と、
前記ベースに取り付けられる複数の発光ダイオードであって、異なる色の光を発光する前記複数の発光ダイオードと、
前記ベースが取り付けられると、前記電球ソケットからの電力を前記発光素子及び前記複数の発光ダイオードに供給する制御回路と、
前記ベースに取り付けられ、前記発光素子及び前記複数の発光ダイオードを収容する半透明ハウジングと、
を含み、
前記制御回路が、前記複数の発光ダイオードから発光される光の知覚される色及び強度の少なくとも１つを制御するために複数の発光ダイオードのそれぞれを個々に制御する、
電球。
【請求項６】
複数の発光ダイオードからの光の強度及び知覚される色の少なくとも１つを選択的に調整するための制御回路を制御する調光器をさらに含む、請求項５に記載の電球。
【請求項７】
温度、におい、動作、及び音の少なくとも１つを検出するためのセンサをさらに含み、
前記制御回路が前記センサからの信号に応答して光の強度及び色の少なくとも１つを調整する、
請求項５に記載の電球。
【請求項８】
前記発光素子が複数の小型蛍光灯を含む、請求項５に記載の電球。
【請求項９】
前記発光素子の長さが約２乃至約２１インチであり、前記蛍光灯が、ハウジング内のベースから上方に延出する複数の長さを形成するように、それ自体に接触するように複数回折り曲げられる、請求項５に記載の電球。
【請求項１０】
複数の発光ダイオードが前記蛍光バルブの周囲に円周方向に沿って配置される、請求項８に記載の電球。
【請求項１１】
円周方向に隣接した発光ダイオードが、異なる色の発光ダイオードである、請求項１０に記載の電球。
【請求項１２】
複数の発光ダイオードが前記蛍光灯の周囲に配置される、請求項９に記載の電球。
【請求項１３】
円周方向に隣接した発光ダイオードが、異なる色の発光ダイオードである、請求項１２に記載の電球。
【請求項１４】
前記複数の発光ダイオードが、前記発光素子を包囲するようにベース上に配置される、請求項５に記載の電球。
【請求項１５】
円周方向に隣接した発光ダイオードが、異なる色の発光ダイオードである、請求項１４に記載の電球。
【請求項１６】
前記発光素子及び前記複数の発光ダイオードが共通の回路基板から電力供給される、請求項５に記載の電球。
【請求項１７】
前記発光素子が約１６０乃至約４２００ルーメンの範囲内の光を発光する、請求項５に記載の電球。
【請求項１８】
前記発光素子が約２４０乃至約２６２５ルーメンの範囲内の光を発光する、請求項１７に記載の電球。
【請求項１９】
前記発光素子が約３２０乃至約２１００ルーメンの範囲内の光を発光する、請求項１８に記載の電球。
【請求項２０】
前記制御回路に接続されるユーザ・インタフェースをさらに含み、
前記ユーザ・インタフェースが、前記複数の発光ダイオードによってハウジングから発光される光の色のプログラミングを可能にする、請求項５に記載の電球。
【請求項２１】
制御回路を制御して、前記複数の発光ダイオードを制御し、発光の少なくとも１つの所定のプレゼンテーションを形成するためのプロセッサであって、前記プレゼンテーションが、プレゼンテーションの間に前記複数の発光ダイオードによってハウジングから発光される光の知覚された色及び強度の少なくとも１つを変更させる、プロセッサをさらに含む、請求項５に記載の電球。
【請求項２２】
前記少なくとも１つの所定のプレゼンテーションを定義する１つ以上のプログラムを格納しているメモリをさらに含む、請求項２１に記載の電球。
【請求項２３】
ユーザに前記少なくとも１つの所定のプレゼンテーションから選択させることを可能にするユーザ・インタフェースをさらに含む、請求項２２に記載の電球。
【請求項２４】
ｉ）複数の所定のプレゼンテーションの１つ以上を起動させること、及び
ｉｉ）１つ以上の知覚される光の色が複数の発光ダイオードによってハウジングから発せられるように選択すること
のうちの少なくとも１つをユーザに実行させ得るユーザ・インタフェースをさらに含む、請求項２１に記載の電球。
【請求項２５】
ｉ）複数の所定のプレゼンテーションの１つ以上を起動させること、及び
ｉｉ）１つ以上の知覚される光の色を複数の発光ダイオードによってハウジングから発せられるように選択すること
のうちの少なくとも１つを実行するように、プロセッサがユーザによって遠隔制御される、請求項２１に記載の電球。
【請求項２６】
前記電球は、該電球が取り付けられる前記電球ソケットを介して電力を制御する電源スイッチをトグルさせることによってユーザにプロセッサの遠隔制御を可能にさせるように電力起動を検出するためのセンサをさらに含む、請求項２１に記載の電球。
【請求項２７】
赤外線信号及び無線信号の１つによってプロセッサを遠隔制御可能にするセンサをさらに含む、請求項２５に記載の電球。
【請求項２８】
電球ソケットと嵌合するように構成されるベースと、
前記ベース上に取り付けられ、該ベースから電力を受け取る発光素子であって、基本的にハロゲン、白熱、蛍光及び低圧水銀の各発光素子から成る群から選択される前記発光素子と、
前記ベース上に取り付けられ、該ベースから電力を受け取る複数の発光ダイオードであって、異なる色の光を発光する前記複数の発光ダイオードと、
前記複数の発光ダイオードから発せられた光の起動、知覚される色、及び強度を制御するために前記発光ダイオードのそれぞれを個々に制御するプログラマブルプロセッサと、
前記ベースに取り付けられ、前記発光素子及び前記複数の発光ダイオードを収容する半透明ハウジングと、
を含む、電球。
【請求項２９】
前記発光素子が約３２０乃至約２１００ルーメンの範囲内の光を発光する、請求項２８に記載の電球。
【請求項３０】
前記ベース上に取り付けられる円周方向に隣接した発光ダイオードが異なる色発光ダイオードである、請求項２８に記載の電球。
【請求項３１】
複数の所定の発光プレゼンテーションを実行するようにプロセッサに指示するためのプログラムを記憶するメモリであって、各プレゼンテーションが、前記複数の発光ダイオードによって前記ハウジングから発光された光の知覚される色と強度の少なくとも１つを変更させる、メモリをさらに含む、請求項２８に記載の電球。
【請求項３２】
前記プログラムがユーザによって遠隔起動される、請求項３１に記載の電球。
【請求項３３】
電球ソケットと嵌合するように構成されるベースと、
前記ベース上に取り付けられ、該ベースから電力を受け取る発光素子であって、基本的にハロゲン、白熱、蛍光及び低圧水銀の各発光素子から成る群から選択される前記発光素子と、
前記ベース上に取り付けられ、該ベースから電力を受け取る複数の発光ダイオードであって、異なる色の光を発光する前記複数の発光ダイオードと、
前記複数の発光ダイオードから発せられた光の起動及び知覚される色を制御する制御回路と、
前記ベースに取り付けられ、前記発光素子及び前記複数の発光ダイオードを収容する半透明ハウジングと、
を含み、
前記制御回路が無線遠隔制御により遠隔からプログラムされる、
電球。
【請求項３４】
前記無線遠隔制御が、前記バルブに保存される複数の所定の発光プレゼンテーションを制御し、前記プレゼンテーションはそれぞれ、前記複数の発光ダイオードによって前記ハウジングから発せられる光の知覚される色及び強度の少なくとも１つを変更する、請求項３３に記載の電球。
【手続補正書】
【提出日】平成18年7月6日(2006.7.6)
【手続補正１】
【補正対象書類名】明細書
【補正対象項目名】００１５
【補正方法】変更
【補正の内容】
【００１５】
スイッチ回路３０は、プログラム制御ユニット３４を含み、これは、ランプ１０によって生じるべき光のタイプに応じて、第１及び第２の電気回路２６、２８に対する所望の電気出力の切換え、即ち、両方とも同時に、あるいはそれぞれ交互に行なうように構成されている。このプログラム制御ユニットは制御スイッチ・アクチュエータ３４ａを含み、これらは、ＬＥＤ２０及び照明バルブ２４の出力強度若しくは輝度を手動で調整するためにベース１２上に配置される。プログラム制御ユニット３４はまた、ＬＥＤ２０と照明バルブ２４の調整を所定の方法で行なう内部プログラム及びその関連回路を組み込むこともできる。これは、ユーザが選択し得るもののうちで選択可能なライトショーを提供することができる。さらに、センサ（図示せず）は、ランプ１０のある領域内で、例えば温度、におい、音、動きなどのその他の状態を検出し、プログラム制御ユニット３４のプログラムを調整することによって、このような検出された状態におけるランプ１０からの光出力を協調させることができるようになっていることもある。
【手続補正２】
【補正対象書類名】明細書
【補正対象項目名】００４０
【補正方法】変更
【補正の内容】
【００４０】
【図１】図１は、本発明の一実施の形態によるランプの概略断面立面図である。
【図２】図２は、図１の線２−２に沿った断面図である。
【図３】図３は、本発明の別の実施の形態によるエジソン式電球の概略断面立面図である。
【図４】図４は、図３の線４−４に沿った断面図である。
【図５】図５は、本発明の別の実施の形態によるエジソン式電球の概略断面立面図である。
【図６Ａ】図６Ａは、本発明の一実施の形態による別の電球の断面図である。
【図６Ｂ】図６Ｂは、本発明の一実施の形態による別の電球の上面図である。
【図７】図７は、本発明の別の実施の形態による別の電球の斜視図である。
【図８】図８は、図７に示される電球の側面図である。
【図９】図９は、図７及び図８に示される電球の部分分解図である。
【国際調査報告】
2007527599.tif 000013
2007527599.tif 000014
2007527599.tif 000015